(57)【特許請求の範囲】
【請求項１】
帯域外通信チャネル内の衝突を検出するための方法であって、該方法は光通信ネットワークのマスターデバイスによって実施され、前記光通信ネットワークは光ファイバーを介して前記マスターデバイスに接続されるスレーブデバイスを備え、前記光通信ネットワークは、帯域内通信を可能にするように構成され、前記帯域外通信チャネルは、連続したシンボル周期にわたる変調シンボルの形で、前記帯域内通信に関するシグナリング情報を送信できるようにすることを意図しており、互いに一致するそれぞれのキャリア波長を使用することによって複数のスレーブデバイスが前記帯域外通信チャネルにアクセスするときに、前記帯域外通信チャネルにおいて衝突が発生する、方法であって、前記マスターデバイスは、
前記帯域外通信チャネルを介して信号を受信することと、
前記帯域内通信のために使用されるサンプリング周波数、又はそこから導出される約数に対応する周波数を使用することによって、そのサンプルを取得するように、前記信号の受信の時点から開始して受信信号をオーバーサンプリングすることであって、それにより、シンボル周期ごとにこのようにして取得されたサンプル量が、前記帯域外通信チャネルにわたる雑音が前記サンプル量にわたって自己補償されると考えられるほど十分に高いようにすることと、
シンボル周期ごとに前記サンプルの少なくとも１つのパラメーターの大きさの変動をチェックすることであって、前記各パラメーターは、振幅、位相及び周波数の中の１つのパラメーターであり、前記帯域外通信チャネルを介して送信するために前記信号に適用された変調に応じて前記変動をチェックするために選択されることと、
前記各パラメーターの前記変動が、前記パラメーターに関する、前記帯域外通信チャネルにわたる雑音分散以上である所定の閾値より大きいときに衝突を検出することと、
を実行することを特徴とする、方法。
【請求項２】
前記マスターデバイスは、前記信号の前記受信の時点からシンボル周期ごとに、前記シンボル周期に等しい持続時間を有するタイマーを起動することを特徴とし、前記マスターデバイスは、衝突検出のために、前記タイマーの満了からマージンＭを引いた時点までに取得されたサンプルを処理し、前記マージンは、シンボル間遷移に関連するサンプルを引き出すこと意図することを特徴とする、請求項１に記載の方法。
【請求項３】
前記帯域外通信チャネルを介してシグナリング情報を送信するために前記スレーブデバイスによって位相シフトキーイング変調又は差分位相シフトキーイング変調が使用されることを特徴とする、請求項１又は２に記載の方法。
【請求項４】
前記各パラメーターは、前記帯域外通信チャネルを介して送信するために前記信号に適用される前記変調が作用した、振幅、位相及び周波数の中の１つのパラメーターであることを特徴とする、請求項１又は２に記載の方法。
【請求項５】
前記マスターデバイスは、各シンボル周期の前記サンプルの少なくとも１つのパラメーターの大きさの変動を、該シンボル周期内にスライディング窓を適用することによって形成されたサンプルのグループにわたって前記パラメーターを積算することによって、及び前記シンボル周期内のサンプルの連続したグループの対ごとに前記各パラメーターの積算値間の差を求めることによってチェックすることを特徴とする、請求項１〜４のいずれか一項に記載の方法。
【請求項６】
前記マスターデバイスは、各シンボル周期の前記サンプルの少なくとも１つのパラメーターの大きさの変動を、該シンボル周期内の連続したサンプルの対ごとに前記各パラメーターの値間の差を求めることによってチェックすることを特徴とする、請求項１〜４のいずれか一項に記載の方法。
【請求項７】
前記マスターデバイスは、各シンボル周期の前記サンプルの少なくとも１つのパラメーターの大きさの変動を、該シンボル周期内の前記各パラメーターの最小値と、前記各パラメーターの最大値との間の差を求めることによってチェックすることを特徴とする、請求項１〜４のいずれか一項に記載の方法。
【請求項８】
請求項１〜７のいずれか一項に記載の方法を実施するためにプログラマブルデバイス内にロードすることができるプログラムコード命令を含むコンピュータープログラムであって、前記プログラムコード命令は前記プログラマブルデバイス内で実行される、コンピュータープログラム。
【請求項９】
請求項１〜７のいずれ一項に記載の方法を実施するためにプログラマブルデバイス内にロードすることができるプログラムコード命令を含むコンピュータープログラムを記憶する情報記憶媒体であって、前記プログラムコード命令は前記プログラマブルデバイスによって実行される、情報記憶媒体。
【請求項１０】
帯域外通信チャネル内の衝突を検出するのに適応したマスターデバイスであって、前記マスターデバイスは、光ファイバーを介して前記マスターデバイスに接続されるスレーブデバイスを更に備える光通信ネットワーク内で使用されるように意図され、前記光通信ネットワークは、帯域内通信を可能にするように構成され、前記帯域外通信チャネルは、連続したシンボル周期にわたる変調シンボルの形で、前記帯域内通信に関するシグナリング情報を送信できるようにすることを意図しており、互いに一致するそれぞれのキャリア波長を使用することによって複数のスレーブデバイスが前記帯域外通信チャネルにアクセスするときに、前記帯域外通信チャネルにおいて衝突が発生する、マスターデバイスにおいて、該マスターデバイスは、
前記帯域外通信チャネルを介して信号を受信する受信機と、
前記帯域内通信のために使用されるサンプリング周波数、又はそこから導出される約数に対応する周波数を使用することによって、そのサンプルを取得するように、前記信号の受信の時点から開始して受信信号をオーバーサンプリングするオーバーサンプリング回路であって、それにより、シンボル周期ごとにこのようにして取得されたサンプル量が、前記帯域外通信チャネルにわたる雑音が前記サンプル量にわたって自己補償されると考えられるほど十分に高いようにする、オーバーサンプリング回路と、
シンボル周期ごとに前記サンプルの少なくとも１つのパラメーターの大きさの変動をチェックするチェック回路であって、前記各パラメーターは、振幅、位相及び周波数の中の１つのパラメーターであり、前記帯域外通信チャネルを介して送信するために前記信号に適用された変調に応じて前記変動をチェックするために選択される、チェック回路と、
前記各パラメーターの前記変動が、前記パラメーターに関する、前記帯域外通信チャネルにわたる雑音分散以上である所定の閾値より大きいときに衝突を検出する検出器と、
を備えることを特徴とする、マスターデバイス。
【発明の詳細な説明】
【技術分野】
【０００１】
本発明は包括的には光通信ネットワークに関し、より詳細には、帯域外シグナリング通信チャネルへのアクセス時の衝突を検出することに関する。
【背景技術】
【０００２】
光通信ネットワーク、より詳細には、パッシブ光通信ネットワークは、住宅若しくはオフィスゲートウェイ、若しくはデータセンターへのネットワークアクセスを与えるために、又は、例えば、モバイルバックホーリングを確保するために、使用される機会が増えている。
【０００３】
１つのアクセスシステムによってネットワークへのサービスを提供されるユーザー端末の数を増やすために、波長（又は周波数）分割多重化技術が開発されてきた。これらの技術は、単一の光ファイバー上で異なるキャリア周波数を用いて幾つかの光信号を多重化することを利用する。幾つかのユーザー端末が同じキャリア周波数を共有することができるが、同時の光伝送の数を増やすために、通常、周波数スプリッターを用いて、使用時に異なる周波数に分離する。周波数スプリッターは通常、ユーザー端末と、ネットワークの他の部分へのアクセスを提供するマスター端末の組との間に配置される。例えば、これらのマスター端末は、メトロポリタンネットワーク又はコアネットワークへのアクセスを提供する。異なる技術を用いて、そのような周波数スプリッティングを達成することができる。薄膜ベースシステムと、ＡＷＧ（アレイ波長回折格子：Array Wavelength Gratings）及びＦＢＧ（ファイバーブラッグ回折格子）ベースシステムのような干渉空洞とを挙げることができる。
【０００４】
その際、周波数スプリッターは、通信方向ごとに幾つかの光バンドパスフィルターを備える。光バンドパスフィルターを用いて、ユーザー端末がアタッチされるマスター端末に向かってこのユーザー端末によって放射される光信号をフィルタリング及び合成し、各ユーザー端末は、その際、１つのマスター端末と通信すると想定される。他方の方向では、光バンドパスフィルターを用いて、マスター端末にアタッチされるユーザー端末に向かってマスター端末によって放射される光信号をフィルタリングし、スペクトル分割する。
【発明の概要】
【発明が解決しようとする課題】
【０００５】
そのような構成において難しいのは、端末の送信インターフェースを構成することである。実際には、これらの送信インターフェースは、実効的に用いられるキャリア周波数が、それらのキャリア周波数が通信する際に介するそれぞれの光バンドパスフィルターの公称周波数に実質的に等しいように構成されることになる。しかしながら、それぞれの光バンドパスフィルターの公称周波数、及び／又は端末の送信インターフェースの実効的な構成から生じるキャリア周波数は、例えば、温度のような環境条件に応じて異なる場合がある。非温度制御環境を使用することは、ユーザー端末に関して特に、動作を複雑にする必要がないので、一般に好ましい。それぞれの光バンドパスフィルターの公称周波数は事前に未知である場合があるので、及び／又は端末の送信インターフェースの実効的な構成は事前に未知である場合があるので、したがって、そのような光バンドパスフィルターによって分離される光通信デバイス間の通信を設定するために、それぞれの光バンドパスフィルターの実効的な公称周波数に対して、使用時にキャリア周波数を実効的にロックするために、端末の送信インターフェースの構成を適切に規定できることが必要とされている。
【０００６】
そのような光通信ネットワーク内の通信は通常、光キャリア周波数を介して送信されるベースバンド信号に頼っており、帯域内通信と呼ばれる。ベースバンドは、例えば、１ＧＨｚ〜１０ＧＨｚの範囲と規定される。ベースバンドは、帯域内通信信号の復号を実行するのに重要である、任意の帯域内通信信号から生じる成分が位置するスペクトル範囲に対応する。
【０００７】
上記の周波数ロッキングを実行するために、そして、光通信ネットワーク内で確立される帯域内通信と干渉しないようにするために、又は任意のシグナリングが帯域内通信によって使用されるスペクトルリソースを使用するのを防ぐために、ロッキングプロトコル又は任意の他のシグナリングプロトコルを実施できるようにするための帯域外通信チャネルが確立される場合がある。２つの光通信デバイス間の帯域外通信は、その２つの光通信デバイス間の帯域内通信と同じキャリア周波数を使用する。帯域外という用語は、帯域外通信チャネル内で行われる通信が、周波数に関して帯域内通信のベースバンド下限より通常はるかに低い、帯域内通信のベースバンドとは異なるスペクトル部分に頼ることを示しており、それは、帯域外通信チャネル内のボーレートが通信信号のベースバンド内のボーレートよりはるかに低いことを意味する。周波数ロッキングに関して、１つの取り得る手法は、第１及び第２の光通信デバイスのうちの開始側デバイスが、所与のキャリア周波数を使用することによって、帯域外通信チャネルを介して、第１及び第２の光通信デバイスのうちの他方の光通信デバイスにロッキング信号を送信することである。開始側デバイスは、関連する光バンドパスフィルターの公称周波数に一致するまで、種々の周波数を走査することによって、それを実行する。
【０００８】
そのような帯域外通信チャネルは、他のタイプのシグナリング情報を与えるために確立される場合もある。しかしながら、２つのユーザー端末が同じキャリア周波数を用いて、その端末がアタッチされるマスター端末に向かう帯域外通信チャネルにアクセスするとき、これらのユーザー端末は信号を送信する前に媒体を検知することができないので衝突が生じる場合があり（大部分の無線周波数又は有線システムとは対照的である）、マスター端末の側における信号の復号を（潜在的には不可能ではないにしても）難しくする場合がある。
【課題を解決するための手段】
【０００９】
それゆえ、衝突に対する応答性を高める（例えば、再送を要求する）ために、受信信号の復号に頼ることなく、そのような衝突を検出できることが望ましい。
【００１０】
上記の問題に対するコスト効率の良い解決策を提供することが更に望ましい。
【００１１】
本発明は、帯域外通信チャネル内の衝突を検出するための方法に関し、本方法は光通信ネットワークのマスターデバイスによって実施され、この光通信ネットワークは光ファイバーを介してマスターデバイスに接続されるスレーブデバイスを備え、光通信ネットワークは、帯域内通信を可能にするように構成され、帯域外通信チャネルは、連続したシンボル周期にわたる変調シンボルの形で、帯域内通信に関するシグナリング情報を送信できるようにすることを意図しており、互いに一致するそれぞれのキャリア波長を使用することによって複数のスレーブデバイスが帯域外通信チャネルにアクセスするときに、帯域外通信チャネルにおいて衝突が発生する。本方法は、マスターデバイスが、帯域外通信チャネルを介して信号を受信することと、帯域内通信のために使用されるサンプリング周波数、又はそこから導出される約数に対応する周波数を使用することによって、そのサンプルを取得するように、上記信号の受信の時点から開始して受信信号をオーバーサンプリングすることであって、それにより、シンボル周期ごとにこのようにして取得されたサンプル量が、帯域外通信チャネルにわたる雑音が上記サンプル量にわたって自己補償されると考えられるほど十分に高いようにすることと、シンボル周期ごとにサンプルの少なくとも１つのパラメーターの大きさの変動をチェックすることであって、上記各パラメーターは、振幅、位相及び周波数の中の１つのパラメーターであり、帯域外通信チャネルを介して送信するために上記信号に適用された変調に応じて上記変動をチェックするために選択されることと、上記各パラメーターの変動が、上記パラメーターに関する、帯域外通信チャネルにわたる雑音分散以上である所定の閾値より大きいときに衝突を検出することとを実行するようになっている。
【００１２】
したがって、オーバーサンプリングは、各シンボル周期にわたって雑音が自己補償されるようなサンプリングである。それゆえ、振幅、位相及び周波数の中の少なくとも１つのパラメーターの大きさの変動をチェックすることによって、マスターデバイスは、受信信号の復号に頼る必要なく、帯域外通信チャネル内の衝突を簡単に検出することができる。オーバーサンプリングは、帯域内通信のために使用されるサンプリング周波数、又はそこから導出される約数に頼るので、コスト効率が良い。
【００１３】
特定の特徴によれば、マスターデバイスは、上記信号の受信の時点からシンボル周期ごとに、上記シンボル周期に等しい持続時間を有するタイマーを起動し、マスターデバイスは、衝突検出のために、タイマーの満了からマージンＭを引いた時点までに取得されたサンプルを処理し、マージンは、シンボル間遷移に関連するサンプルを引き出す。
【００１４】
したがって、シンボル間遷移は衝突検出に影響を及ぼさない。
【００１５】
特定の特徴によれば、帯域外通信チャネルを介してシグナリング情報を送信するためにスレーブデバイスによって位相シフトキーイング変調又は差分位相シフトキーイング変調が使用される。
【００１６】
したがって、媒体（光ファイバー）の光学特性に起因して帯域外通信チャネルは準静的であるので、衝突検出は容易に検出することができる。
【００１７】
特定の特徴によれば、上記各パラメーターは、帯域外通信チャネルを介して送信するために上記信号に適用される変調が作用した、振幅、位相及び周波数の中の１つのパラメーターである。
【００１８】
特定の特徴によれば、マスターデバイスは、各シンボル周期のサンプルの少なくとも１つのパラメーターの大きさの変動を、このシンボル周期内にスライディング窓を適用することによって形成されたサンプルのグループにわたって上記パラメーターを積算することによって、及び上記シンボル周期内のサンプルの連続したグループの対ごとに上記各パラメーターの積算値間の差を求めることによってチェックする。
【００１９】
したがって、衝突検出の応答性と、衝突の潜在的な誤検出との間のトレードオフを見つけることができる。
【００２０】
特定の特徴によれば、マスターデバイスは、各シンボル周期のサンプルの少なくとも１つのパラメーターの大きさの変動を、このシンボル周期内の連続したサンプルの対ごとに上記各パラメーターの値間の差を求めることによってチェックする。
【００２１】
したがって、衝突検出は応答性が高い。
【００２２】
特定の特徴によれば、マスターデバイスは、各シンボル周期のサンプルの少なくとも１つのパラメーターの大きさの変動を、このシンボル周期内の上記各パラメーターの最小値と、上記各パラメーターの最大値との間の差を求めることによってチェックする。
【００２３】
したがって、衝突検出は容易に実行することができる。
【００２４】
別の態様によれば、本発明は、帯域外通信チャネル内の衝突を検出するのに適応したマスターデバイスに関し、このマスターデバイスは、光ファイバーを介してマスターデバイスに接続されるスレーブデバイスを更に備える光通信ネットワーク内で使用されるように意図され、光通信ネットワークは、帯域内通信を可能にするように構成され、帯域外通信チャネルは、連続したシンボル周期にわたる変調シンボルの形で、帯域内通信に関するシグナリング情報を送信できるようにすることを意図しており、互いに一致するそれぞれのキャリア波長を使用することによって複数のスレーブデバイスが帯域外通信チャネルにアクセスするときに、帯域外通信チャネルにおいて衝突が発生する。このマスターデバイスは、帯域外通信チャネルを介して信号を受信する受信機と、帯域内通信のために使用されるサンプリング周波数、又はそこから導出される約数に対応する周波数を使用することによって、そのサンプルを取得するように、上記信号の受信の時点から開始して受信信号をオーバーサンプリングするオーバーサンプリング回路であって、それにより、シンボル周期ごとにこのようにして取得されたサンプル量が、帯域外通信チャネルにわたる雑音が上記サンプル量にわたって自己補償されると考えられるほど十分に高いようにする、オーバーサンプリング回路と、シンボル周期ごとにサンプルの少なくとも１つのパラメーターの大きさの変動をチェックするチェック回路であって、上記各パラメーターは、振幅、位相及び周波数の中の１つのパラメーターであり、帯域外通信チャネルを介して送信するために上記信号に適用された変調に応じて上記変動をチェックするために選択される、チェック回路と、上記各パラメーターの変動が、上記パラメーターに関する、帯域外通信チャネルにわたる雑音分散以上である所定の閾値より大きいときに衝突を検出する検出器とを備えるようになっている。
【００２５】
本発明はまた、通信ネットワークからダウンロードすることができ、及び／又はコンピューターによって読み出し、プロセッサによって実行することができる媒体上に記憶することができるコンピュータープログラムに関する。このコンピュータープログラムは、そのプログラムがプロセッサによって実行されるときに、種々の実施形態のうちのいずれか１つにおいて上記の方法を実施するための命令を含む。本発明はまた、記憶された情報がコンピューターによって読み出され、プロセッサによって実行されるときに、種々の実施形態のうちのいずれか１つにおいて上記の方法を実施するための１組の命令を含むコンピュータープログラムを記憶する情報記憶媒体に関する。
【００２６】
本発明の特性は、実施形態の一例の以下の説明を読むことから更に明らかになり、その説明は添付の図面を参照しながら行われる。
【図面の簡単な説明】
【００２７】
【図１】本発明を実施することができる、マスターデバイス及び複数のスレーブデバイスを含む、光通信ネットワークの構成を表す概略図である。
【図２】光通信ネットワークのマスターデバイスの構成を表す概略図である。
【図３】帯域外通信チャネルを介して受信されたシグナリング信号を処理するために、マスターデバイスによって実行されるアルゴリズムを表す概略図である。
【図４】帯域外通信チャネル内の衝突を検出するための第１の実施形態の、マスターデバイスによって実行されるアルゴリズムを表す概略図である。
【図５】帯域外通信チャネル内の衝突を検出するための第２の実施形態の、マスターデバイスによって実行されるアルゴリズムを表す概略図である。
【図６】帯域外通信チャネル内の衝突を検出するための第３の実施形態の、マスターデバイスによって実行されるアルゴリズムを表す概略図である。
【発明を実施するための形態】
【００２８】
図１は、本発明を実施することができるパッシブ光ネットワークの構成を概略的に表す。
【００２９】
波長及び周波数は直接反比例関係を通して互いに結び付けられ、これら２つの用語は同じ概念を指しているので、当業者によって区別することなく用いられることに留意されたい。
【００３０】
これ以降、パッシブ光通信ネットワークとの関連で説明が詳述されるが、光通信ネットワークの更に一般的な状況においても同様に適用することができる。
【００３１】
パッシブ光通信ネットワーク１００は、マスターデバイス１１０と、複数のスレーブデバイス１４１、１４２、１４３と、スペクトルスプリッターデバイス１２０とを備える。スレーブデバイス１４１、１４２、１４３は、スペクトルスプリッターデバイス１２０を介してマスターデバイス１１０と相互接続される。マスターデバイス１１０と相互接続することができるスレーブデバイスの数を増やすために、後に説明されるようなパワースプリッターをスレーブデバイスとスペクトルスプリッターデバイス１２０との間に配置することができる。パッシブ光通信ネットワーク１００の全ての相互接続は光ファイバーを用いることによって実行される。マスターデバイス１１０及びスレーブデバイス１４１、１４２、１４３を実現するための特定のハードウェアプラットフォーム実施形態が、図２に関して後に詳述される。
【００３２】
パッシブ光通信ネットワーク１００との関連において、スレーブデバイス１４１、１４２、１４３はＯＮＵ（光ネットワークユニット）タイプである。ＯＮＵは通常、エンドユーザー世帯に位置するか、又はフロントホールの適用例の場合には遠隔無線ヘッドに位置するように意図されている。
【００３３】
パッシブ光通信ネットワーク１００との関連で、マスターデバイス１１０はＯＬＴ（光回線終端装置）タイプである。それにより、ＯＮＵがメトロポリタンネットワーク又はコアネットワーク（図示せず）にアクセスできるようになる。
【００３４】
スレーブデバイス１４１、１４２、１４３は、パワースプリッターデバイス１３２を介してスペクトルスプリッターデバイス１２０に接続することができる。パワースプリッターデバイス１３２は、ダウンリンク方向（マスターデバイス１１０からスレーブデバイスへの）において入力信号を複数の対応する信号に分離する受動スプリッターであり、電力がスレーブデバイス１４１、１４２、１４３に向かうリンクの数だけ分割される。ダウンリンク方向における各リンク上に、パワースプリッターデバイス１３２によって出力される信号は、入力信号と同じ情報を含み、パワースプリッターデバイス１３２は信号の電力にのみ影響を及ぼす。
【００３５】
他のスレーブデバイスがパワースプリッターデバイス１３１、１３３を介してスペクトルスプリッターデバイス１２０に接続することができる。各パワースプリッターデバイス１３１、１３２、１３３及びそれに接続されるスレーブデバイスは、これらのスレーブデバイスがアタッチされるマスターデバイスとともにＰＯＮ（パッシブ光ネットワーク）タイプのネットワークを形成する。ＰＯＮは、スペクトルスプリッターデバイス１２０によってフィルタリングされるようなそれぞれの波長帯において動作する。これを果たすために、スペクトルスプリッターデバイス１２０は、それぞれの波長帯をフィルタリングすることを目的とし、それゆえ、スペクトルスプリッターデバイス１２０が波長分割多重化を実行できるようにする、ＰＯＮごとの一対の光バンドパスフィルターの組を備える。
【００３６】
それゆえ、図１に示されるように、スペクトルスプリッターデバイス１２０は、パワースプリッターデバイス１３２と、その関連するスレーブデバイス１４１、１４２、１４３とからなるＰＯＮを通して伝送するための専用の光バンドパスフィルターの組１２１、１２２とを備える。フィルターの組１２２は、これ以降、アップリンクフィルターと呼ばれ、アップリンク方向における（同じＰＯＮ内にあるスレーブデバイス１４１、１４２、１４３からマスターデバイス１１０への）光信号のフィルタリングを担う。フィルターの組１２１は、これ以降、ダウンリンクフィルターと呼ばれ、ダウンリンク方向における光信号のフィルタリングを担う。組１２１、１２２の各フィルターは、中心波長とも呼ばれる公称波長と、帯域幅とによって規定されるバンドパスフィルターである。組１２１、１２２の各フィルターは、スペクトル形状によって規定される場合もある。
【００３７】
アップリンク方向又はダウンリンク方向について考える場合、スペクトルスプリッターデバイス１２０の全てのフィルターは同じ帯域幅値を有することが好ましく、一定のスペクトル距離だけ離間されることが好ましい。しかしながら、フィルターの公称波長は事前に未知である。スペクトルスプリッターデバイス１２０はパッシブであることが好ましく、フィルターの公称波長は、スペクトルスプリッターデバイス１２０の温度（スペクトルスプリッターデバイス１２０によって、又は近隣に位置する機器若しくは環境条件によって生成される熱）に応じて変化する場合がある。
【００３８】
同じ制約に基づいてバンドパスフィルターが設計されるとき、フィルターの帯域幅値及びフィルター間のスペクトル距離は温度変動と実質的に無関係であることに留意されたい。
【００３９】
さらに、スレーブデバイス１４１、１４２、１４３又はマスターデバイス１１０の光送信インターフェースの所与の構成に対応する実効的なキャリア波長はわからない場合がある。
【００４０】
それゆえ、スレーブデバイス１４１、１４２、１４３は、組１２２の関連するアップリンクフィルターの公称周波数に実質的に等しいキャリア波長において、アップリンク方向において光信号を送信するために構成される必要がある。さらに、マスターデバイス１１０は、組１２１の関連するダウンリンクフィルターの公称周波数に実質的に等しいキャリア波長において、ダウンリンク方向において光信号を送信するために構成される必要がある。言い換えると、後に詳述されるように、キャリア周波数はロックされる必要があり、そのために帯域外通信チャネルが実施される。上記帯域外通信チャネルは、他のシグナリング情報を送信するために更に使用される場合もある。より詳細には、帯域外通信チャネルは、連続するシンボル周期を介しての変調シンボルの形をとる帯域内通信に関するシグナリング情報の伝送を可能にするように意図されている。そのようなシグナリング情報は、例えば、上記スレーブデバイスからマスターデバイスに向かう帯域内通信トラフィックに関連するサービスクラス若しくはデータレート情報、又は上記スレーブデバイスによって既知であり、マスターデバイス１１０が帯域内通信を管理できるようにするのに有用な任意の他の情報を含む場合がある。また、そのようなシグナリング情報は、関連するスレーブデバイスが適応するセンサーを備えるときに、電池残量、環境温度のような運用情報、又は上記スレーブデバイスによって既知であり、マスターデバイス１１０がパッシブ光通信ネットワーク１００の運用を管理できるようにするのに有用な任意の他の情報も含む場合がある。
【００４１】
所与のフィルターの通過帯域内の波長は、その所与のフィルターの公称周波数に実質的に等しいと見なされることに留意することができる。
【００４２】
フィルターの組１２１、１２２の公称波長は同一とすることができることに留意することができる。それは、ダウンリンク方向及びアップリンク方向において、同じキャリア波長を用いることも、異なるキャリア波長を用いることもできることを意味する。
【００４３】
スペクトルスプリッターデバイス１２０を使用する代わりに、光通信ネットワークのそれぞれの受信ダイオード上にフィルタリングフィルムを固定することによって、同等の構成が得られることに更に留意することができる。この場合にも、マスターデバイス１１０とスレーブデバイスとの間の経路上にアップリンクフィルター及びダウンリンクフィルターが存在する。
【００４４】
スレーブデバイス１４１のような１つのスレーブデバイスと、マスターデバイス１１０との間でキャリア周波数をロックできるようにするために、１つの手法は、スレーブデバイスが帯域外通信チャネルを介してロッキング信号を送信することである。このロッキング信号は、上記スレーブデバイスによって、例えば、恣意的に選択されたキャリア周波数を介して送信される。マスターデバイス１１０から上記スレーブデバイスへの帯域外通信チャネルが既に設定されているとき、マスターデバイス１１０は、ロッキング信号がマスターデバイス１１０によって受信されるときに（ロッキング信号のために使用されるキャリア周波数が組１２２の関連するアップリンクフィルターの公称周波数と一致するときに）、スレーブデバイスに帯域外メッセージを送信することができる。ロッキング信号の送信後の所定の期間内に、そのような帯域外メッセージが上記スレーブデバイスによって受信されないとき、組１２２の関連するアップリンクフィルターの公称周波数と一致するキャリア周波数が使用されるまで、上記スレーブデバイスは、別のキャリア周波数を用いてそのプロセスを繰り返し行う。マスターデバイス１１０から上記スレーブデバイスへの帯域内通信が既に設定されているとき、マスターデバイス１１０は、代わりに、帯域内メッセージを用いて、ロッキング信号に応答することができる。組１２２の関連するアップリンクフィルターの公称周波数と一致するように、使用時にキャリア周波数を実効的にロックするために、他の手法を実施することができる。例えば、キャリア周波数をロックすることは、欧州特許出願公開第２４６６７６８号において記載されているミラーベース手法を用いてアップリンク方向において達成することができる。
【００４５】
例えば、スレーブデバイス１４２からマスターデバイス１１０への光通信ネットワーク１００において既に設定されている帯域内通信との干渉を引き起こすのを回避するために、特に整形されたロッキング信号を生成することが提案される。したがって、マスターデバイス１１０のような、光通信ネットワーク１００の任意の受信機デバイスが、ロッキング信号を既に設定されている帯域内通信の信号から区別することができ、この既に設定されている帯域内通信内で交換される信号を復号し続けることができる。ロッキング信号は、マスターデバイス１１０に送信される情報から得られる被変調信号である。特定の実施形態において、その変調は、例えば、周波数Ωが帯域内通信のボーレートより低い円関数によって実行される。言い換えると、周波数Ωはベースバンドの下限より低い。ここで、ベースバンドが帯域内通信信号を復号するためにフィルタリングされなければならない周波数範囲に対応することを思い起こされたい。好ましい実施形態において、周波数Ωは、ベースバンドの下限より著しく低い。例えば、周波数Ωは１ＭＨｚに等しく、ベースバンドの下限は１ＧＨｚ（又は最大で１０ＧＨｚ）である。ロッキング信号を介してシグナリング情報を与えるために、種々の振幅変調技法を使用することができる。ロッキング信号は、例えば、振幅シフトキーイング（ＡＳＫ）変調、又は周波数シフトキーイング（ＦＳＫ）変調、又は位相シフトキーイング（ＰＳＫ）変調、又は差分タイプの変調（差分周波数シフトキーイング、．．．）のような、そこから派生する任意の種類の変調を用いて変調することができる。好ましい実施形態において、上記スレーブデバイスは、被変調信号をアポダイズする、すなわち、被変調信号内の急峻な不連続性を除去又は平滑化する。したがって、上記スレーブデバイスは、ベースバンド内の過渡周波数がロッキング信号内に生成されないように、アポダイズされた被変調ロッキング信号が信号の開始及び終了時に滑らかに０に向かう傾向があるのを確実にする。帯域外通信信号を生成し、上記帯域外通信信号を帯域内通信信号から弁別するための実施形態が、欧州特許出願公開第２６２１１１２号で公開された欧州特許出願において開示される。
【００４６】
既に言及されたように、帯域外通信チャネルは、キャリア周波数ロッキングプロセスの範囲内以外のシグナリング情報を送信するために使用することができる。このシグナリング情報は、上述したロッキング信号と同じ信号形状で帯域外通信チャネルを介して送信される。したがって、シグナリング情報は、帯域外信号を形成するために使用される変調に頼ることによって符号化することができる。帯域外通信チャネルを介して達成可能なボーレートは、規定により、帯域内通信チャネルを介して達成可能なボーレートよりはるかに低く、それゆえ、帯域外通信チャネルを介して送信される情報は、サイズに関して制限されると予想されるので、衝突の発生を制限するために、そして、スレーブデバイス間の帯域外通信チャネルへの共有アクセスを容易にするために、他のタイプの情報と比べて、シグナリング情報が好ましい。複数のスレーブデバイスが、互いに一致するそれぞれのキャリア波長を使用することによって帯域外通信チャネルにアクセスするとき、帯域外通信チャネルにおいて衝突が発生する。キャリア波長がマスターデバイス１１０の観点から同じ検出チャネル（組１２２の同じアップリンクフィルターを横切るときにマスターデバイス１１０によって検出されるキャリア波長）内にあるとき、上記キャリア波長は互いに一致する。
【００４７】
ＰＯＮ専用光ネットワークの範囲内でもそのような衝突が発生することに留意することができる。なぜなら、その場合、スレーブデバイスは、マスターデバイス１１０の観点から同じ検出チャネル内でマスターデバイスと通信するためである（図１の範囲内で、スペクトルスプリッターデバイス１２０は、異なるマスターデバイスによって使用可能な複数の独立した検出チャネルを生成することを目的とするため）。
【００４８】
帯域外通信チャネルを介して受信されたシグナリング信号を処理するためにマスターデバイス１１０によって実行されるアルゴリズムが図３に関して後に詳述され、帯域外通信チャネルを介して送信されたシグナリング信号の衝突を検出するためにマスターデバイス１１０によって実行されるアルゴリズムが図４〜図６に関して後に詳述される。
【００４９】
図２は、マスターデバイス１１０の構成を概略的に表す。図示される構成によれば、マスターデバイス１１０は、通信バス２１０によって相互接続される以下の構成要素、すなわち、プロセッサ、マイクロプロセッサ、マイクロコントローラー又はＣＰＵ（中央処理ユニット）２００、ＲＡＭ（ランダムアクセスメモリ）２０１、ＲＯＭ（リードオンリーメモリ）２０２、記憶手段上に記憶される情報を読み出すように構成されるデバイス２０３、光信号を送受信するためにスペクトルスプリッターデバイス１２０に接続されることを目的とする第１の通信インターフェース２０４、及びメトロポリタンネットワーク又はコアネットワークに接続されることを目的とする第２の通信インターフェース２０５を備える。
【００５０】
ＣＰＵ２００は、ＲＯＭ２０２から、又は任意の他の記憶手段からＲＡＭ２０１の中にロードされる命令を実行することができる。マスターデバイス１１０が起動された後に、ＣＰＵ２００は、ＲＡＭ２０１から命令を読み出し、これらの命令を実行することができる。それらの命令は、図３〜図６に関して後に記述されるアルゴリズムのステップのうちの幾つか又は全てをＣＰＵ２００に実行させる１つのコンピュータープログラムを形成する。
【００５１】
スレーブデバイス１４１、１４２、１４３も、図２に概略的に示される構成に基づいて実現できることに留意することができる。この場合、第１の通信インターフェース２０４によって、潜在的にはスペクトルスプリッターデバイス１２０を通して、マスターデバイス１１０と通信できるようになり、第２の通信インターフェース２０５によって、検討対象のスレーブデバイス１４１、１４２、１４３を、ホームネットワークのようなローカルエリアネットワークに接続できるようになる。
【００５２】
図３〜図６に関して後に説明されるアルゴリズムのありとあらゆるステップは、ＤＳＰ（デジタルシグナルプロセッサ）若しくはマイクロコントローラーのようなプログラム可能な計算機によって１組の命令若しくはプログラムを実行することによってソフトウェアにおいて実施することができるか、又はＦＰＧＡ（フィールドプログラマブルゲートアレイ）若しくはＡＳＩＣ（特定用途向け集積回路）のような、機械若しくは専用構成要素によってハードウェアにおいて実現することができる。
【００５３】
図３は、帯域外通信チャネルを介して受信されたシグナリング信号を処理するために、マスターデバイス１１０によって実行されるアルゴリズムを概略的に表す。
【００５４】
ステップＳ３０１において、マスターデバイス１１０は、帯域外通信チャネルを介してシグナリング信号を受信し始める。そのようなシグナリング信号は、帯域外通信チャネルを介してスレーブデバイスによって非同期で送信され、それは、複数のシグナリング信号がマスターデバイス１１０によって同時に受信される場合があることを意味する。マスターデバイス１１０が２つ以上のそれぞれのスレーブデバイスからのシグナリング信号を全く同時に受信し始める確率はかなり低いので、マスターデバイス１１０は通常、第１のスレーブデバイスから第１のシグナリング信号を受信し始め、第１のシグナリング信号が依然として受信中である間に、潜在的には、第２のスレーブデバイスから第２のシグナリング信号を受信し始める可能性があり、それは、その場合に、キャリア波長が使用時に互いに一致するときに、衝突が発生することを意味する。時分割多元接続（ＴＤＭＡ）方式のタイムスロットを複数のデバイスが同時に使用することができるとき、ＴＤＭＡ方式の範囲内でそのような衝突が発生する場合もある。
【００５５】
ステップＳ３０２において、マスターデバイス１１０は、所定の持続時間Ｔを有するタイマーを起動する。持続時間Ｔは、帯域外通信チャネル上のシンボル周期に等しい。
【００５６】
ステップＳ３０３において、マスターデバイス１１０は、衝突検出機構を起動する。衝突検出機構の３つの実施形態が図４〜６に関して後に詳述される。
【００５７】
ステップＳ３０４において、マスターデバイス１１０は、そのサンプルを取得するために、ステップＳ３０１において受信された信号のオーバーサンプリングを実行する。オーバーサンプリングは、帯域内通信のために使用されるサンプリング信号、又はそこから（すなわち、帯域内通信のために使用されるサンプリング周波数から）導出された約数に対応する周波数を使用することによって実行される。オーバーサンプリングは、シンボル周期ごとにこのようにして取得されたサンプルの量が、帯域外通信チャネル上にわたる雑音がそのサンプル量にわたって自己補償されると考えられるほど十分に高いようなサンプリングである。これにより、帯域外通信チャネルの範囲内の衝突検出のために、帯域内信号を処理するために通常設計されるマスターデバイス１１０の構成要素を再利用できるようになる。
【００５８】
ステップＳ３０５において、マスターデバイス１１０は、ステップＳ３０２において起動されたタイマーが満了するまで、ステップＳ３０４において取得されたサンプルを衝突検出機構に与える。タイマーの満了に達すると、ステップＳ３０１が繰り返され、受信中の信号が、依然として存在するなら、別のシンボル周期の間に処理される。
【００５９】
特定の実施形態において、マスターデバイス１１０は、タイマーの満了からマージンＭを引いた値に対応する時点までステップＳ３０４において取得されたサンプルを衝突検出機構に与えるだけである。ただし、マージンは、衝突検出機構によって解析されたサンプルから、シンボル間遷移に関連するサンプルを引き出すことを意図している。
【００６０】
図４は、帯域外通信チャネル内の衝突を検出するための第１の実施形態の、マスターデバイス１１０によって実行されるアルゴリズム（衝突検出機構）を概略的に表す。ステップＳ３０２において起動されるような、衝突検出機構は、マスターデバイス１１０によって実施される。図４のアルゴリズムの範囲内で、単一のシンボル周期内の全てのサンプルが収集されると、潜在的な衝突を検出することができると考えられる。
【００６１】
ステップＳ４０１において、マスターデバイス１１０は、１シンボル周期中にステップＳ３０４において実行されたオーバーサンプリング動作によって取得されたようなサンプルを収集する。スレーブデバイスによって送信されるようなシグナリング信号は、所定の変調方式に従って変調され、それゆえ、シグナリング信号は、連続したシンボル周期にわたって（変調）シンボルの形でそれぞれ送信されることを思い起こされたい。
【００６２】
ステップＳ４０２において、マスターデバイス１１０は、収集されたサンプルの少なくとも１つのパラメーターの大きさをチェックする。上記各パラメーターは、振幅、位相及び周波数の中の１つのパラメーターであり、帯域外通信チャネルを介して送信するために上記信号に適用された変調に従って、その大きさの変動をチェックするために選択される。
【００６３】
特定の実施形態によれば、ＰＳＫ又は差分ＰＳＫ変調が、帯域外通信チャネルを介してシグナリング信号を送信するためにスレーブデバイスによって使用され、振幅が、その大きさの変動をチェックするために選択された上記パラメーターである。実際には、帯域外通信チャネルは媒体（光ファイバー）の光学特性に起因して準静的であるので、それは、シグナリング信号の包絡線は各シンボル周期にわたって実質的に一定であると予想されることを意味する。
【００６４】
特定の実施形態によれば、変形形態において、その大きさの変動をチェックするために選択されたパラメーターは、帯域外通信チャネルを介して送信するためにその信号に適用された変調が作用した、振幅、位相及び周波数の中の１つのパラメーターである。ＡＳＫ変調等では、振幅が、変調が作用するパラメーターであり、ＰＳＫ変調等では、位相が、変調が作用するパラメーターであり、ＦＳＫ変調等では、周波数が、変調が作用するパラメーターであり、ＱＡＭ（直交振幅変調）変調等では、振幅及び位相が、変調が作用するパラメーターである。
【００６５】
ステップＳ４０３において、マスターデバイス１１０は、収集されたサンプルの検討対象の各パラメーターの大きさの変動がそれぞれの所定の閾値ＴＨより大きいか否かをチェックする。サンプルの複数のパラメーターが考慮されるとき、各パラメーターが対応する閾値ＴＨと比較される。例えば、ＱＡＭ変調では、サンプルの振幅を振幅閾値と比較することができ、及び／又はサンプルの位相を位相閾値と比較することができる。また、ＱＡＭ変調が使用される場合であっても、衝突検出のためにマスターデバイス１１０によって、位相及び振幅の中の１つのパラメーターのみがチェックされる場合があることに留意することもできる。
【００６６】
マスターデバイス１１０は、上記パラメーター（複数の場合もある）の最大値と、上記シンボル周期内の上記パラメーター（複数の場合もある）の最大値との間の差を求めることによって、その変動をチェックする。収集されたサンプルの検討対象の各パラメーターの大きさの変動が所定の閾値ＴＨより大きいとき、ステップＳ４０４が実行され、そうでない場合には、ステップＳ４０５が実行される。所定の閾値ＴＨは、その大きさの変動が閾値ＴＨと比較される上記パラメーターに関する、帯域外通信チャネルにわたる雑音分散以上である。その意味において、閾値ＴＨは、帯域外通信チャネルを介してシグナリング信号を送信するために適用される変調によって決まる。
【００６７】
ステップＳ４０４において、マスターデバイス１１０は、帯域外通信チャネルにおいて衝突が検出されたと考える。その際、マスターデバイス１１０は、シグナリング信号の再送を要求すること、若しくは管理エンティティによって取り扱われることになるアラーム信号を生成することのような十分な対策を適用することができるか、又は更には、帯域外通信チャネルを介してのアップリンク通信の統計量を単に増やすこともできる。一実施形態において、衝突検出の結果として、マスターデバイス１１０は、帯域外通信チャネルへのアクセスがＴＤＭＡ方式に一時的に切り替えられることを要求し、その場合、帯域外通信チャネルへのアクセスを所定のタイムスロットにわたって分散させることによって、衝突が回避されることが期待されるか、又は少なくとも、衝突発生数が削減されることが期待される。その後、ステップＳ４０６が実行される。
【００６８】
ステップＳ４０５において、マスターデバイス１１０は、帯域外通信チャネルにおいて衝突が検出されないと見なす。その後、ステップＳ４０６が実行される。
【００６９】
ステップＳ４０６において、マスターデバイス１１０は衝突検出機構を停止する（シンボル周期の全てのサンプルが処理された）。別のシンボルが処理されなければならない場合には、ステップＳ３０３の新たな反復が、衝突検出機構を再び起動すると予想される。
【００７０】
図５は、帯域外通信チャネル内の衝突を検出するための第２の実施形態の、マスターデバイス１１０によって実行されるアルゴリズム（衝突検出機構）を概略的に表す。図５のアルゴリズムの範囲内で、１シンボル周期中のサンプル単位の解析に頼ることによって、潜在的な衝突を検出できると考えられる。したがって、図５のアルゴリズムは、サンプルが取得されるのに応じて実行することができる。
【００７１】
ステップＳ５０１において、マスターデバイス１１０は、１シンボル周期中にステップＳ３０４において実行されたオーバーサンプリング演算によって取得されたサンプルの中の１つのサンプルを取得する。スレーブデバイスによって送信されるようなシグナリング信号は、所定の変調方式に従って変調され、それゆえ、シグナリング信号は、連続したシンボル周期にわたる（変調）シンボルの形でそれぞれ送信されることを思い起こされたい。
【００７２】
ステップＳ５０２において、マスターデバイス１１０は、ステップＳ５０１において取得されたサンプルが、衝突検出機構が起動されてから順番で１番目のサンプルであるか否かをチェックする。ステップＳ５０１において取得されたサンプルが順番で１番目のサンプルであるとき、衝突検出機構が起動されてから順番で２番目のサンプルを取得するためにステップＳ５０１が繰り返され、そうでない場合には、ステップＳ５０３が実行される。
【００７３】
ステップＳ５０３において、マスターデバイス１１０は、ステップＳ５０１の直前の実行中に取得されたサンプルの少なくとも１つのパラメーターの大きさを、順番でその直前のサンプルの同じパラメーター（複数の場合もある）の大きさと比較する。図４のアルゴリズムの実行状況に関して、上記各パラメーターは、振幅、位相及び周波数の中の１つのパラメーターであり、帯域外通信チャネルを介して送信するために上記信号に適用された変調に応じて、その大きさの変動をチェックするために選択される。
【００７４】
ステップＳ５０４において、マスターデバイス１１０は、ステップＳ５０３において比較されたような、サンプルの検討対象の各パラメーターの大きさの変動がそれぞれの所定の閾値ＴＨより大きいか否かをチェックする。したがって、マスターデバイス１１０は、上記シンボル周期内の連続したサンプルの対ごとに上記パラメーター（複数の場合もある）の値間の差を求めることによって上記変動をチェックする。上記サンプルの検討対象の各パラメーターの振幅の変動がそれぞれの所定の閾値ＴＨより大きいとき、ステップＳ５０５が実行され、そうでない場合には、ステップＳ５０６が実行される。図４のアルゴリズムの実行状況に関して、所定の閾値ＴＨは、その大きさの変動が閾値ＴＨと比較される上記パラメーターに関する、帯域外通信チャネルにわたる雑音分散以上である。
【００７５】
ステップＳ５０５において、マスターデバイス１１０は、帯域外通信チャネルにおいて衝突が検出されたと見なす。その際、マスターデバイス１１０は、シグナリング信号の再送を要求すること、若しくは管理エンティティによって取り扱われることになるアラーム信号を生成することのような十分な対策を適用することができるか、又は更には、帯域外通信チャネルを介してのアップリンク通信の統計量を単に増やすこともできる。その後、ステップＳ５０８が実行される。
【００７６】
ステップＳ５０６において、マスターデバイス１１０は、ステップＳ５０１の直前の実行中に取得されたサンプルが、検討対象のシンボル周期に関して順番で最後のサンプルであるか否かをチェックする。ステップＳ５０１の直前の実行中に取得されたサンプルが順番で最後のサンプルであるとき、ステップＳ５０７が実行され、そうでない場合には、順番で次のサンプルを取得するために、ステップＳ５０１が繰り返される。
【００７７】
ステップＳ５０７において、マスターデバイス１１０は、帯域外通信チャネルにおいて衝突が検出されないと見なす。その後、ステップＳ５０８が実行される。
【００７８】
ステップＳ５０８において、マスターデバイス１１０は、衝突検出機構を停止する（シンボル周期の全てのサンプルが処理された）。別のシンボルが処理されなければならない場合には、ステップＳ３０３の新たな反復が、衝突検出機構を再び起動すると予想される。
【００７９】
図６は、帯域外通信チャネル内の衝突を検出するための第３の実施形態の、マスターデバイス１１０によって実行されるアルゴリズム（衝突検出機構）を概略的に表す。図６のアルゴリズムの範囲内で、シンボル周期中にサンプルのグループごとの解析に頼ることによって、潜在的な衝突を検出できると考えられる。その後、積算を実行し、それにより、サンプル解析に及ぼす雑音の影響を低減するために、所定の基数のグループごとに、連続したサンプルが収集される。したがって、図６のアルゴリズムは、上記サンプルのグループが取得されるのに応じて実行することができる。
【００８０】
ステップＳ６０１において、マスターデバイス１１０は、１シンボル周期中にステップＳ３０４において実行されたオーバーサンプリング演算によって取得されたサンプルの中の連続したサンプルの１つのグループを取得する。スレーブデバイスによって送信されるようなシグナリング信号は、所定の変調方式に従って変調され、それゆえ、シグナリング信号は、連続したシンボル周期にわたる（変調）シンボルの形でそれぞれ送信されることを思い起こされたい。
【００８１】
ステップＳ６０２において、マスターデバイス１１０は、ステップＳ６０１において取得された連続したサンプルのグループが、衝突検出機構が起動されてから順番で１番目のグループであるか否かをチェックする。ステップＳ６０１において取得されたサンプルが順番で１番目のグループであるとき、衝突検出機構が起動されてから順番で連続したサンプルの２番目のグループを取得するために、ステップＳ６０１が繰り返され、そうでない場合には、ステップＳ６０３が実行される。例えば、サンプルのグループは、所定のサイズ（所定のサンプル量からなる）のそれぞれの隣接する窓として規定される。好ましい実施形態において、サンプルのグループは、サンプルの１つのグループの規定から、順番でサンプルの直後のグループの規定まで、検討対象のシンボル周期内の１つ又は複数のサンプルだけ繰り返しシフトされる、所定のサイズのスライディング窓を活用して規定される。
【００８２】
ステップＳ６０３において、マスターデバイス１１０は、ステップＳ６０１の直前の実行中に取得されたサンプルのグループの少なくとも１つのパラメーターの積算された大きさを、順番でサンプルの直前のグループの同じパラメーター（複数の場合もある）の積算された大きさと比較する。図４及び図５のアルゴリズムの実行状況に関して、上記各パラメーターは、振幅、位相及び周波数の中の１つのパラメーターであり、帯域外通信チャネルを介して送信するために上記信号に適用された変調に応じて、その大きさの変動をチェックするために選択される。
【００８３】
ステップＳ６０４において、マスターデバイス１１０は、ステップＳ６０３において比較されるような、サンプルのグループの検討対象の各パラメーターの積算された大きさの変動がそれぞれの所定の閾値ＴＨより大きいか否かをチェックする。したがって、マスターデバイス１１０は、検討対象のシンボル周期内のサンプルの連続したグループの対ごとに上記パラメーター（複数の場合もある）の積算値間の差を求めることによって上記変動をチェックする。上記サンプルのグループの検討対象の各パラメーターの積算された大きさの変動がそれぞれの所定の閾値ＴＨより大きいとき、ステップＳ６０５が実行され、そうでない場合には、ステップＳ６０６が実行される。図４及び図５のアルゴリズムの実行状況に関して、所定の閾値ＴＨは、その大きさの変動が閾値ＴＨと比較される上記パラメーターに関する、帯域外通信チャネルにわたる雑音分散以上である。
【００８４】
ステップＳ６０６において、マスターデバイス１１０は、帯域外通信チャネルにおいて衝突が検出されると見なす。その際、マスターデバイス１１０は、シグナリング信号の再送を要求すること、若しくは管理エンティティによって取り扱われることになるアラーム信号を生成することのような十分な対策を適用することができるか、又は更には、帯域外通信チャネルを介してのアップリンク通信の統計量を単に増やすこともできる。その後、ステップＳ６０８が実行される。
【００８５】
ステップＳ６０７において、マスターデバイス１１０は、ステップＳ６０１の直前の実行中に取得されたサンプルのグループが、検討対象のシンボル周期に関して順番でサンプルの最後のグループであるか否かをチェックする。ステップＳ６０１の直前の実行中に取得されたサンプルのグループが順番でサンプルの最後のグループであるとき、ステップＳ６０７が実行され、そうでない場合には、順番でサンプルの次のグループを取得するために、ステップＳ６０１が繰り返される。
【００８６】
ステップＳ６０７において、マスターデバイス１１０は、帯域外通信チャネルにおいて衝突が検出されないと見なす。その後、ステップＳ６０８が実行される。
【００８７】
ステップＳ６０８において、マスターデバイス１１０は、衝突検出機構を停止する（シンボル周期の全てのサンプルが処理された）。別のシンボルが処理されなければならない場合には、ステップＳ３０３の新たな反復が、衝突検出機構を再び起動すると予想される。
【００８８】
図４〜図６に関してそれぞれ説明された３つの実施形態を考慮して、衝突検出機構は、受信された信号のサンプルを取得するように、信号の受信の時点から開始して、シンボル周期ごとに帯域外通信チャネルを介して受信された信号をオーバーサンプリングすることと、サンプルの少なくとも１つのパラメーターの大きさの変動をチェックすることであって、上記各パラメーターは振幅、位相及び周波数の中にあり、帯域外通信チャネルを介して送信するために上記信号に適用された変調に応じて、その大きさの変動をチェックするために選択される、チェックすることと、上記各パラメーターの大きさの変動がそれぞれの所定の閾値ＴＨより大きいとき、衝突を検出することとにあり、所定の閾値ＴＨは、そのパラメーターに関する、帯域外通信チャネルにわたる雑音分散以上である。
【図１】
0006381829.tif 000002
【図２】
0006381829.tif 000003
【図３】
0006381829.tif 000004
【図４】
0006381829.tif 000005
【図５】
0006381829.tif 000006
【図６】
0006381829.tif 000007